(57)【特許請求の範囲】
【請求項１】
移動体の状況を示す表示部を有し、かつ、該表示部が計測量に応じて回転する計器ユニットの出力軸に取り付けられた指針によって指示されることにより前記計測量を表示する計器装置の文字板において、
平板状に形成された生地板と、
前記生地板よりも前記移動体の乗員室側に配された前記表示部を構成する意匠色層と、
前記意匠色層よりも前記乗員室側に配され、かつ、前記意匠色層の前記表示部を構成する部分を除いて重ねられた文字板着色層と、
透光性材料で構成され、前記意匠色層及び前記文字板着色層の前記乗員室側の面を覆った透明保護層と、を有し、
前記文字板着色層が、
前記表示部を構成する部分を除いて前記意匠色層に重ねられた所定色の第１の着色層と、
前記第１の着色層上に配された前記所定色よりも明度が高い第２の色の第２の着色層と、を有し、
前記透明保護層が、
前記第２の着色層と、前記第１の着色層の前記第２の着色層が重ねられた部分を除いた部分と、のうち一方に重ねられ、前記乗員室側に突出した凸部と、
他方に重ねられ、前記乗員室側の外表面が前記凸部よりも前記生地板寄りに配された凹部と、を有している
ことを特徴とする計器装置の文字板。
【請求項２】
前記所定色と前記第２の色とが互いに同一の色相であることを特徴とする請求項１に記載の計器装置の文字板。
【発明の詳細な説明】
【技術分野】
【０００１】
本発明は、車両、船舶等の移動体に搭載される計器装置の文字板に関し、特に、指針に指示されることにより計測量を表示する計器装置の文字板に関するものである。
【背景技術】
【０００２】
車両、船舶などの移動体には、各種の計測手段が計測した複数の情報を移動体の乗員に対して表示する計器装置が搭載されている。この種の計器装置として、例えば、移動体としての車両の速度を表示するスピードメータと、エンジンの回転数を表示するタコメータと、燃料の残量を表示するフューエルゲージと、エンジンの冷却水の温度を表示するテンパラチャゲージなどを有した車両用コンビネーションメータがある（例えば特許文献１を参照。）。
【０００３】
上記車両用コンビネーションメータは、前述した各メータ及びゲージの計器ユニットを収容した計器ケースと、計器ケースの前面側（乗員室側）に配された文字板と、各計器ユニットの出力軸に取り付けられた指針と、文字板の前面側に配された見返し板と、文字板の裏面側に配された導光板と、文字板及び指針の裏面側に配され且つ導光板に光を供給する光源などを有している。
【０００４】
また、上記車両用コンビネーションメータは、前記文字板として、スピードメータ用文字板と、タコメータ用文字板と、フューエルゲージ用文字板と、テンパラチャゲージ用文字板と、を有している。これらの各文字板は、合成樹脂等で構成された白や黒などの無地の基板に、それぞれ、指針によって指示される表示部としての車速表示用目盛・文字、エンジン回転数表示用目盛・文字、燃料残量表示用目盛・文字、冷却水温度表示用目盛・文字、等が印刷されている。
【特許文献１】特開平１１−２３７２５９号公報
【発明の開示】
【発明が解決しようとする課題】
【０００５】
しかしながら、上述した従来の文字板は、基板が無地であり、その表面が平らに形成されていることなどから、見映えが単純であり斬新さに欠けるという問題点があった。
【０００６】
そこで、本発明は、移動体の乗員に対して斬新さを与えることができ、デザイン性を向上させることが可能な計器装置の文字板を提供することを目的とする。
【課題を解決するための手段】
【０００７】
上記目的を達成するために請求項１に記載された発明は、移動体の状況を示す表示部を有し、かつ、該表示部が計測量に応じて回転する計器ユニットの出力軸に取り付けられた指針によって指示されることにより前記計測量を表示する計器装置の文字板において、平板状に形成された生地板と、前記生地板よりも前記移動体の乗員室側に配された前記表示部を構成する意匠色層と、前記意匠色層よりも前記乗員室側に配され、かつ、前記意匠色層の前記表示部を構成する部分を除いて重ねられた文字板着色層と、透光性材料で構成され、前記意匠色層及び前記文字板着色層の前記乗員室側の面を覆った透明保護層と、を有し、前記文字板着色層が、前記表示部を構成する部分を除いて前記意匠色層に重ねられた所定色の第１の着色層と、前記第１の着色層上に配された前記所定色よりも明度が高い第２の色の第２の着色層と、を有し、前記透明保護層が、前記第２の着色層と、前記第１の着色層の前記第２の着色層が重ねられた部分を除いた部分と、のうち一方に重ねられ、前記乗員室側に突出した凸部と、他方に重ねられ、前記乗員室側の外表面が前記凸部よりも前記生地板寄りに配された凹部と、を有していることを特徴とする計器装置の文字板である。
【０００８】
請求項２に記載された発明は、請求項１に記載された発明において、前記所定色と前記第２の色とが互いに同一の色相であることを特徴とするものである。
【発明の効果】
【０００９】
請求項１に記載された発明によれば、文字板着色層が、表示部を構成する部分を除いて意匠色層に重ねられた所定色の第１の着色層と、前記第１の着色層上に配された前記所定色よりも明度が高い、即ち前記所定色よりも相対的に淡い色である、第２の色の第２の着色層と、を有し、透明保護層が、前記第２の着色層と、前記第１の着色層の前記第２の着色層が重ねられた部分を除いた部分と、のうち一方に重ねられ、乗員室側に突出した凸部と、他方に重ねられ、前記乗員室側の外表面が前記凸部よりも生地板寄りに配された凹部と、を有していることから、文字板を立体的な質感を有する皮革のように見せることができる。よって、移動体の乗員に対して斬新さを与えることができ、デザイン性を向上させることが可能な計器装置の文字板を提供することができる。
【００１０】
請求項２に記載された発明によれば、前記所定色と前記第２の色とが互いに同一の色相であることから、文字板をより天然の皮革のように見せることができる。
【発明を実施するための最良の形態】
【００１１】
以下、本発明の一実施の形態に係る計器装置の文字板を図１ないし図１１を参照しながら説明する。図２などに示す本発明の文字板６ａは、図１に示す計器装置としての車両用コンビネーションメータ１を構成する。
【００１２】
上記車両用コンビネーションメータ１は、自動車等の移動体に搭載されて、この移動体の乗員に対して該移動体の状況を表示する装置である。この車両用コンビネーションメータ１は、ケース３と、このケース３に取り付けられるスピードメータ４ａ，タコメータ４ｂ，テンパラチャゲージ４ｃ，フューエルゲージ４ｄで構成される表示計器４と、後述する各文字板６ａ，６ｂ，６ｃ，６ｄ及び装飾リング１８ａ，１８ｂ，１８ｃ，１８ｄ以外の部分を移動体の乗員に対して遮蔽する見返し板１０と、ケース３の乗員室側に取り付けられて各文字板６ａ，６ｂ，６ｃ，６ｄなどを覆う透明カバー１１、などを有している。
【００１３】
上記ケース３は、移動体の乗員と相対する側（以下、乗員室側と言う。）に表示計器４の後述する各文字板６ａ，６ｂ，６ｃ，６ｄが取り付けられる取付孔が設けられた箱状に形成されている。このケース３内には、後述する計器ユニットとしてのムーブメント、各文字板６ａ，６ｂ，６ｃ，６ｄ及び各指針１２ａ，１２ｂ，１２ｃ，１２ｄを光輝させる光源、走行距離等の各種情報を表示する液晶表示装置３１、及びこれらと接続したプリント基板等が収容される。また、液晶表示装置３１は、その表示パネルが、スピードメータ用文字板６ａに貫通形成された貫通窓２９から乗員室側に露出している。
【００１４】
上記スピードメータ４ａ、タコメータ４ｂ、テンパラチャゲージ４ｃ、フューエルゲージ４ｄは、それぞれ、計器ユニットとしてのムーブメントと、指針１２ａ，１２ｂ，１２ｃ，１２ｄと、スピードメータ用文字板６ａ、タコメータ用文字板６ｂ、テンパラチャゲージ用文字板６ｃ、フューエルゲージ用文字板６ｄと、各文字板６ａ，６ｂ，６ｃ，６ｄの背面側にそれぞれ配された導光板と、上述した光源と、各文字板６ａ，６ｂ，６ｃ，６ｄの外周縁を縁取る装飾リング１８ａ，１８ｂ，１８ｃ，１８ｄ等を有している。
【００１５】
上記ムーブメントは、それぞれ、車両に搭載された図示しない車速計測手段、エンジン回転数計測手段、燃料残量計測手段及び冷却水温度計測手段等と接続されている。これらムーブメントは、これらの計測手段が計測した計測量等に応じて回転する出力軸を有している。
【００１６】
上記指針１２ａ，１２ｂ，１２ｃ，１２ｄは、上記ムーブメントの出力軸に取り付けられた基端部１３と、基端部１３から離れるのに従って徐々に細くなる錐状に形成された指示部１４とを有している。そして、各計測手段が計測した計測量に応じて上記出力軸と一体となって回転することにより、それぞれ、各文字板６ａ，６ｂ，６ｃ，６ｄの各目盛・文字９ａ，９ｂ，９ｃ，９ｄを指示し、該移動体の状況を表示する。
【００１７】
続いて、文字板６ａ，６ｂ，６ｃ，６ｄの詳細な構成について説明する。前述した文字板６ａ，６ｂ，６ｃ，６ｄは、互いに略同等の構成であるので、以下、スピードメータ用文字板６ａ（以下、単に文字板６ａと呼ぶ）を代表して説明する。
【００１８】
上記文字板６ａは、図２に示すように、平面形状が略円形の円板状に形成されており、その外周に沿って設けられた表示部としての車速を表示する車速表示用の目盛・文字９ａと、上述したムーブメントの出力軸が通される挿通穴２８と、上述した液晶表示装置３１の表示パネルを乗員室側に露出させる貫通窓２９と、を有している。
【００１９】
また、上記文字板６ａは、図３の断面図に示すように、平面形状が略円形の円板状に形成され、透明な材料で構成された生地板２１と、生地板２１よりも乗員室側に配された上記車速表示用の目盛・文字９ａを構成する意匠色層２２と、意匠色層２２よりも乗員室側に配された文字板着色層２５と、意匠色層２２及び文字板着色層２５の乗員室側の面を覆った透明保護層２６と、が順に積層されて構成されている。
【００２０】
上記意匠色層２２は、本実施形態では、白色の着色材を含む透光性を有する材料で構成されているとともに、印刷によって形成され、生地板２１の乗員室側の面全体を覆っている。この意匠色層２２は、上述した表示部としての車速表示用の目盛・文字９ａを構成しており、上記導光板を介して文字板６ａに向かって出射された上記光源の光を透過して車速表示用目盛・文字９ａを白色に光輝させて移動体の乗員に視認させる。また、意匠色層２２は、乗員室側に露出された部分２２ａ、即ちその上側に文字板着色層２５が重ねられていない部分２２ａ、が車速表示用目盛・文字９ａの形状をなしている。
【００２１】
上記文字板着色層２５は、文字板６ａの車速表示用の目盛・文字９ａ以外の部分をなしており、意匠色層２２の車速表示用の目盛・文字９ａを構成する部分２２ａを除いて重ねられた第１の着色層２３と、第１の着色層２３の上側、即ち乗員室側、に重ねられた第２の着色層２４と、を有している。これら着色層２３，２４は、印刷によって形成されている。
【００２２】
また、上記第１の着色層２３は、本実施形態では、藍色の着色材を含む材料で構成されており、所定色としての藍色に形成されている。また、上記第２の着色層２４は、本実施形態では、青色の着色材を含む材料で構成されており、第２の色としての青色に形成されている。即ち、これら第１の着色層２３の色と第２の着色層２４の色とは、互いに同一の色相であるとともに、第２の着色層２４の色が第１の着色層２３の色よりも明度が高くなっている。即ち第２の着色層２４の色が第１の着色層２３の色よりも相対的に淡い色となっており、第１の着色層２３の色が第２の着色層２４の色よりも相対的に濃い色となっている。
【００２３】
さらに、第２の着色層２４は、第１の着色層２３上に隙間をあけて重ねられており、その上側に透明保護層２６が重ねられることにより、移動体の乗員に、図４及び図５に示すようにレザーの如く視認される。また、図４において、Ｃで示す部分が、乗員室側に露出された第１の着色層２３の第２の着色層２４が重ねられていない部分２３ａであり、Ｄで示す部分が、乗員室側に露出された第２の着色層２４である。
【００２４】
上記透明保護層２６は、光沢を抑える艶消し剤等を含む透明な材料で構成されているとともに、印刷によって形成されている。透明保護層２６は、意匠色層２２及び文字板着色層２５の表面に傷等が付くことを防止するとともに、外光による反射を抑えて視認性の低下を抑制する。
【００２５】
さらに、透明保護層２６は、上記第２の着色層２４に重ねられ、乗員室側の外表面が他の部分よりも乗員室側に突出した凸部２６ｂと、上記第１の着色層２３の第２の着色層２４が重ねられた部分を除いた部分２３ａに重ねられ、乗員室側の外表面が凸部２６ｂよりも生地板２１寄りに配された凹部２６ａと、意匠色層２２の文字板着色層２５が重ねられていない部分２２ａに重ねられ、乗員室側の外表面が凹部２６ａの外表面よりも生地板２１寄りに配された第２凹部２６ｃと、を有している。
【００２６】
また、凸部２６ｂの文字板６ａの面方向に沿った外縁部は、第２の着色層２４の文字板６ａの面方向に沿った外縁部と重なっており（一致しており）、凹部２６ａの文字板６ａの面方向に沿った外縁部は、第１の着色層２３の前記部分２３ａの面方向に沿った外縁部と重なっており（一致しており）、第２凹部２６ｃの文字板６ａの面方向に沿った外縁部は、意匠色層２２の前記部分２２ａの面方向に沿った外縁部と重なっている（一致している）。
【００２７】
上述した構成の文字板６ａは、第１の着色層２３の藍色と第２の着色層２４の青色との２色で構成された文字板着色層２５と、これら第１の着色層２３，第２の着色層２４の形状に合わせて外表面に凹凸が設けられた透明保護層２６と、の相互効果により立体感が強調されて、目盛・文字９ａ以外の部分が天然のレザーのような質感を醸し出している。
【００２８】
また、上述した文字板６ａを形成する際は、図６に示す生地板２１の乗員室側に配される面に、図７に示すように意匠色層２２を印刷により形成し、この意匠色層２２の上に図８に示すように第１の着色層２３を印刷により形成し、この第１の着色層２３の上に図９に示すように第２の着色層２４を印刷により形成し、これら意匠色層２２及び文字板着色層２５の上に図１０に示すように乗員室側の外表面が平らな透明保護層２６を印刷により形成し、前記外表面の上に凹部２６ａを印刷により形成し、この上に図１１に示すように凸部２６ｂを印刷により形成する。こうして、図３に示した断面形状の文字板６ａが得られる。また、前記外表面が上述した第２凹部２６ｃの外表面をなしている。
【００２９】
上述した実施形態によれば、文字板６ａの目盛・文字９ａ以外の部分を、立体的な質感を有する天然のレザーのように見せることができるので、移動体の乗員に対して斬新さを与えることができ、デザイン性を向上させることが可能な車両用コンビネーションメータ１の文字板６ａを提供することができる。
【００３０】
また、上述した実施形態では、スピードメータ４ａについて主に説明したが、本発明では、タコメータ４ｂ，テンパラチャゲージ４ｃ，フューエルゲージ４ｄについても同様の構成とする。
【００３１】
また、上述した実施形態では、図１０に示すように乗員室側の外表面が平らな透明保護層２６の上に凹部２６ａと凸部２６ｂとを印刷により形成して文字板６ａを形成していたが、本発明では、図１２に示すように乗員室側の外表面が平らな透明保護層２６の上に、表面に凹凸が設けられた金型２８を押し当てることにより、図１３に示す文字板６ａを形成することも可能である。なお、図１２及び図１３において、上述した実施形態と同一構成部分には同一符号を付して説明を省略する。
【００３２】
また、上述した実施形態では、第２の着色層２４に凸部２６ｂが重ねられ、第１の着色層２３の前記部分２３ａに凹部２６ａが重ねられた文字板６ａを例にあげて説明したが、本発明の文字板は、図１４に示すように、第１の着色層２３の前記部分２３ａに凸部２６ｂが重ねられ、第２の着色層２４に凹部２６ａが重ねられ、意匠色層２２の前記部分２２ａに、外表面が凹部２６ａの外表面と同一平面上に形成された第２凹部２６ｃ’が重ねられた文字板１０６ａであっても良い。なお、図１４において、上述した実施形態と同一構成部分には同一符号を付して説明を省略する。
【００３３】
また、本発明の第１の着色層と第２の着色層とは、上述した実施形態で説明した色に限定されず、少なくとも第２の着色層が第１の着色層よりも明度が高い色で形成されていれば良い。
【００３４】
また、上述した実施形態では、図３に示すように、凸部２６ｂの文字板６ａの面方向に沿った外縁部が、第２の着色層２４の文字板６ａの面方向に沿った外縁部と重なるように形成され、かつ、凹部２６ａの文字板６ａの面方向に沿った外縁部が、第１の着色層２３の前記部分２３ａの面方向に沿った外縁部と重なるように形成されていたが、本発明では、凸部２６ｂ及び凹部２６ａの文字板６ａの面方向に沿った外縁部を、第２の着色層２４及び第１の着色層２３の前記部分２３ａの面方向に沿った外縁部と若干ずらして形成しても良い。この場合、質感・立体感を微調整することができる。
【００３５】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３６】
【図１】本発明の一実施の形態に係る文字板が用いられる車両用コンビネーションメータを示す平面図である。
【図２】図１に示された文字板を示す平面図である。
【図３】図２中のＩ−Ｉ線に沿う断面図である。
【図４】図２中のＢ部を示す拡大図である。
【図５】図２中のＢ部を示す拡大写真である。
【図６】図１に示された文字板を形成する方法を説明する図であり、前記文字板の生地板を示す断面図である。
【図７】図６に示された生地板上に意匠色層を印刷した状態を示す断面図である。
【図８】図７に示された意匠色層上に第１の着色層を印刷した状態を示す断面図である。
【図９】図８に示された第１の着色層上に第２の着色層を印刷した状態を示す断面図である。
【図１０】図９に示された第２の着色層上に外表面が平らな透明保護層を印刷した状態を示す断面図である。
【図１１】図１０に示された外表面が平らな透明保護層上に、凹部と凸部とを印刷した状態を示す断面図である。
【図１２】図６ないし図１１に示された文字板を形成する方法の他の方法を説明する断面図である。
【図１３】図１２に示された方法により形成された文字板を示す断面図である。
【図１４】図３に示された文字板の変形例を示す断面図である。
【符号の説明】
【００３７】
１  車両用コンビネーションメータ（計器装置）
６ａ，１０６ａ  スピードメータ用文字板（文字板）
９ａ  車速表示用目盛・文字（表示部）
１２ａ  指針
２１  生地板
２２  意匠色層
２３  第１の着色層
２４  第２の着色層
２５  文字板着色層
２６  透明保護層
２６ａ  凹部
２６ｂ  凸部
【図１】
0004981532.tif 000002
【図２】
0004981532.tif 000003
【図３】
0004981532.tif 000004
【図４】
0004981532.tif 000005
【図６】
0004981532.tif 000006
【図７】
0004981532.tif 000007
【図８】
0004981532.tif 000008
【図９】
0004981532.tif 000009
【図１０】
0004981532.tif 000010
【図１１】
0004981532.tif 000011
【図１２】
0004981532.tif 000012
【図１３】
0004981532.tif 000013
【図１４】
0004981532.tif 000014
【図５】
0004981532.tif 000015